【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
前記遊技機の背面側に設置される複数の電気部品と、
前記複数の電気部品を電気的に接続する配線と、
回路基板を収納する第１部材及び第２部材からなる基板ケースと、
前記第１部材と前記第２部材とを封止状態とするために用いられる封印シールと、
を備え、
前記封印シールは、
該封印シールの粘着力を低下させるために所定の溶剤が用いられたときに表示内容が消える溶剤変化部と、
各々の封印シールを識別可能な識別情報が表示された第１識別情報表示部と、
識別情報が符号化されることにより表示された第２識別情報表示部と、
周縁に形成された切込部と、
を有し、
前記第１識別情報表示部と前記第２識別情報表示部とは、前記所定の溶剤が用いられたときに表示内容が消えないものであり、
前記基板ケースに貼付されたときに前記配線と重ならない部分に前記溶剤変化部が配置されている
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】００１０
【補正方法】変更
【補正の内容】
【００１０】
前記課題を解決するために、本発明の請求項１に記載の遊技機は、
遊技を行うことが可能な遊技機（例えば、スロットマシン１／パチンコ遊技機１００１）であって、
前記遊技機の背面側（例えば、筐体１ａの内部／パチンコ遊技機１００１の背面）に設置される複数の電気部品（例えば、各種スイッチ、センサ、ソレノイド、モータ、ＬＥＤ等）と、
前記複数の電気部品を電気的に接続する配線（例えば、ケーブル６００ａ〜６００ｃ、６００ｋ／ケーブル１７００）と、
回路基板（例えば、遊技制御基板４０／主基板１０３１）を収納する第１部材（例えば、ベース部材２０１／ベース部材１２０１）及び第２部材（例えば、カバー部材２０２／カバー部材１２０２）からなる基板ケース（例えば、基板ケース２００／基板ケース１２００）と、
前記第１部材と前記第２部材とを封止状態（例えば、基板ケースが開封されたらその痕跡が残るように閉鎖した第２封止状態）とするために用いられる封印シール（例えば、封印シール４００／封印シール１４００）と、
を備え、
前記封印シールは、
該封印シールの粘着力を低下させるために所定の溶剤が用いられたときに表示内容が消える溶剤変化部（例えば、所定の剥離液と接触することにより該剥離液に溶解する特殊インクにて印刷形成された溶剤使用表示部４５０Ａ〜４５０Ｄ／溶剤使用表示部１４５０Ａ〜１４５０Ｄ）と、
各々の封印シールを識別可能な識別情報が表示された第１識別情報表示部と、
識別情報が符号化されることにより表示された第２識別情報表示部と、
周縁に形成された切込部と、
を有し、
前記第１識別情報表示部と前記第２識別情報表示部とは、前記所定の溶剤が用いられたときに表示内容が消えないものであり、
前記基板ケースに貼付されたときに前記配線と重ならない部分に前記溶剤変化部が配置されている（例えば、図１４に示すように、封印シール４００は、基板ケース２００に貼付されたときに、遊技制御基板４０の基板側コネクタと配線フックＨＦやリール中継基板１２０等の配線保持部とを結ぶ直線に重ならない位置またはその近傍位置に配置されている／封印シール１４００は、基板ケース１２００に貼付されたときに、主基板１０３１の基板側コネクタと配線挿通部１７５０等の配線保持部とを結ぶ直線上に重ならない位置またはその近傍位置に配置されている）
ことを特徴としている。
この特徴によれば、溶剤を使用して封印シールの粘着力を低下させようとした場合、該封印シールの溶剤変化部が変化することで、溶剤を使用して封印シールの粘着力を低下させようとしたことがわかるようになるため、溶剤により剥離した封印シールを再度貼付するといった不正行為を抑制できるとともに、溶剤変化部が配線により隠れてしまうことがないので、溶剤変化部の視認性が損なわれることが防止される。
前記課題を解決するために、本発明の手段Ａの遊技機は、
所定の遊技を行うことが可能な遊技機（例えば、スロットマシン１／パチンコ遊技機１００１）であって、
前記遊技機の背面側（例えば、筐体１ａの内部／パチンコ遊技機１００１の背面）に設置される複数の電気部品（例えば、各種スイッチ、センサ、ソレノイド、モータ、ＬＥＤ等）と、
前記複数の電気部品を電気的に接続する配線（例えば、ケーブル６００ａ〜６００ｃ、６００ｋ／ケーブル１７００）と、
回路基板（例えば、遊技制御基板４０／主基板１０３１）を収納する第１被覆体（例えば、ベース部材２０１／ベース部材１２０１）及び第２被覆体（例えば、カバー部材２０２／カバー部材１２０２）からなる基板ケース（例えば、基板ケース２００／基板ケース１２００）と、
前記第１被覆体と前記第２被覆体とを封止状態（例えば、基板ケースが開封されたらその痕跡が残るように閉鎖した第２封止状態）とするために用いられる封印シール（例えば、封印シール４００／封印シール１４００）と、
を備え、
前記封印シールは、
該封印シールの粘着力を低下させるために所定の溶剤が用いられたときに該溶剤が使用された痕跡を示す溶剤使用表示部（例えば、所定の剥離液と接触することにより該剥離液に溶解する特殊インクにて印刷形成された溶剤使用表示部４５０Ａ〜４５０Ｄ／溶剤使用表示部１４５０Ａ〜１４５０Ｄ）を有し、
前記基板ケースに貼付されたときに前記配線と重ならない部分に前記溶剤使用表示部が配置されている（例えば、図１４に示すように、封印シール４００は、基板ケース２００に貼付されたときに、遊技制御基板４０の基板側コネクタと配線フックＨＦやリール中継基板１２０等の配線保持部とを結ぶ直線に重ならない位置またはその近傍位置に配置されている／封印シール１４００は、基板ケース１２００に貼付されたときに、主基板１０３１の基板側コネクタと配線挿通部１７５０等の配線保持部とを結ぶ直線上に重ならない位置またはその近傍位置に配置されている）
ことを特徴としている。
この特徴によれば、溶剤を使用して封印シールの粘着力を低下させようとした場合、該封印シールの溶剤使用表示部に該溶剤が使用された痕跡が残ることで、溶剤を使用して封印シールの粘着力を低下させようとしたことがわかるようになるため、溶剤により剥離した封印シールを再度貼付するといった不正行為を抑制できるとともに、溶剤使用表示部が配線により隠れてしまうことがないので、溶剤使用表示部の視認性が損なわれることが防止される。
【手続補正４】
【補正対象書類名】明細書
【補正対象項目名】００１１
【補正方法】変更
【補正の内容】
【００１１】
本発明の手段１の遊技機は、手段Ａに記載の遊技機であって、
前記封印シール（例えば、封印シール４００／封印シール１４００）の所定箇所（例えば、４隅）には、該封印シールの強度が他の部分よりも低い脆弱部（例えば、隅側切り込み４０８／隅側切り込み１４０８）が設けられている
ことを特徴としている。
この特徴によれば、封印シールを剥離する際に脆弱部が破断しやすくなるので、溶剤により剥離した封印シールを再度貼付するといった不正行為を抑制できる。
【手続補正５】
【補正対象書類名】明細書
【補正対象項目名】００１２
【補正方法】変更
【補正の内容】
【００１２】
本発明の手段２の遊技機は、手段Ａまたは手段１に記載の遊技機であって、
前記封印シール（例えば、封印シール４００／封印シール１４００）は、各々の封印シールを識別可能な識別情報（例えば、シリアル番号など）が目視にて読み取り可能に表示された第１識別情報表示部（例えば、第１識別情報表示部４５１／第１識別情報表示部１４５１）と、各々の封印シールを識別可能な識別情報（例えば、２次元バーコードなど）が符号化されることにより所定の読取装置にて読み取り可能な第２識別情報表示部（例えば、第２識別情報表示部４５２／第２識別情報表示部１４５２）と、を有する
ことを特徴としている。
この特徴によれば、第１識別情報表示部とは別個に、所定の読取装置でしか読み取ることができない第２識別情報表示部が設けられていることで、第２識別情報表示部から識別情報を読み取ることが困難化され、封印シールの偽造に手間がかかるようになるため、セキュリティ性が向上する。
【手続補正６】
【補正対象書類名】明細書
【補正対象項目名】００１３
【補正方法】変更
【補正の内容】
【００１３】
本発明の手段３の遊技機は、手段Ａ、手段１、手段２のいずれかに記載の遊技機であって、
前記基板ケース（例えば、基板ケース２００／基板ケース１２００）は、前記封印シールが貼付される封印シール貼付部（例えば、ベース側封印部２２９、カバー側封印部２２４／ベース側封印部１２２９、カバー側封印部１２２４）を有し、
前記封印シール貼付部の周囲には、貼付された封印シールの周囲を囲むように周壁部（例えば、凸条４１１、４２１／凸条１４１１、１４２１）が形成されている
ことを特徴としている。
この特徴によれば、封印シールを剥離する際に周囲の周壁部が邪魔になって剥離しにくくなるため、溶剤により剥離した封印シールを再度貼付するといった不正行為を抑制できる。
【手続補正７】
【補正対象書類名】明細書
【補正対象項目名】００１４
【補正方法】変更
【補正の内容】
【００１４】
本発明の手段４の遊技機は、手段Ａ、手段１〜３のいずれかに記載の遊技機であって、
前記封印シール（例えば、封印シール４００／封印シール１４００）は、各々の封印シールを識別可能な識別情報（例えば、シリアル番号など）を所定の電磁波により読み取り可能な電子タグを有する
ことを特徴としている。
この特徴によれば、識別情報を読み取るには所定の電磁波を利用しなければならないことで、封印シールの偽造に手間がかかるようになるため、セキュリティ性が向上する。